(57)【要約】【課題】送信者側がグルーピングを変更する度に再送信者へ連絡する必要があった。【解決手段】送信者側では、１つのMPEG-2TSに含まれる２以上のチャンネルを２以上のグループに分け、夫々のグループ内で統計多重を行って各グループの伝送レートを所定値以下とし、MPEG-2TSに該TSに含まれるグループのサービスIDや伝送レートといったグルーピング情報を示す記述子を書き込んで送出し、再送信者側では、受信したMPEG-2TSに含まれている前記グルーピング情報に基づいて該TSから必要なパケットだけを分離し、分離されたパケットに基づいて再送信用の新たなMPEG-2TSを生成してCATV伝送網へ送出する。【選択図】    図１
2004214750.tif 000002
【特許請求の範囲】
【請求項１】
送信者はMPEG-2TSを110°CS衛星に中継させて再送信者へ送信し、再送信者は受信したMPEG-2TSに所定の処理を加えてCATV伝送網へ送出するCATVによるCS110°衛星放送の再送信方法において、送信者側では、１つのMPEG-2TSに含まれる２以上のチャンネルを２以上のグループに分け、夫々のグループ内で統計多重を行って各グループの伝送レートを所定値以下とし、MPEG-2TSに該TSに含まれるグループのサービスIDや最大伝送レートといったグルーピング情報を示す記述子を書き込んで送出し、再送信者側では、受信した各MPEG-2TSに含まれている前記グルーピング情報に基づいて該TSから必要なパケットだけを分離し、分離されたパケットに基づいて再送信用の新たなMPEG-2TSを生成してCATV伝送網へ送出することを特徴とするCATVによるCS110°衛星放送の再送信方法。
【発明の詳細な説明】
【０００１】
【発明の属する技術分野】
本発明は、CATV伝送網を利用してCS110°衛星放送を再送信するための方法に関するものである。
【０００２】
【従来の技術】
CS110°衛星放送においては、１つのトランスポンダ（中継器）によって送信される１つのMPEG-2TSの伝送レートは39.1275Mbpsとなるのが一般的である。しかし、CATVシステムで一般に使用されている64QAM変調器１台あたりの伝送レートは31.644Mbpsである。従って、トランスポンダ１台分のデータを１台の64QAM変調器で再送信することはできない。そこで、CS110°衛星放送をCATV伝送網によって再送信する場合は、送信者（放送事業者）においてMPEG-2TSの伝送レートを予め落し、再送信者（CATV事業者）によって受信されるMPEG-2TSの伝送レートが31.644Mbps以下となるようにしてある。具体的には、放送事業者側において、MPEG-2TSに含まれている２以上のチャンネルを２以上のグループに分け、各グループ内で統計多重を行い、夫々グループの最大伝送レートを31.644Mbps以下に落している。
【０００３】
【発明が解決しようとする課題】
しかし、CATV事業者が受信するMPEG-2TSには前記グループ分けに関する情報（当該グループに含まれるサービスＩＤや当該グループの最大伝送レート等といったグルーピング情報）が含まれていない。従って、放送事業者がグルーピングを変更する場合は、その度にCATV事業者へ新たなグルーピング情報を連絡しなくてはならない。
【０００４】
【課題を解決するための手段】
本発明は、送信者側で行われたグルーピングの変更を再送信者側で自動的に察知可能として前記課題を解決することを目的とする。
【０００５】
本発明のCATVによるCS110°衛星放送の再送信方法では、送信者はMPEG-2TSを110°CS衛星に中継させて再送信者へ送信し、再送信者は受信したMPEG-2TSに所定の処理を加えてCATV伝送網へ送出するCATVによるCS110°衛星放送の再送信方法において、送信者側では、１つのMPEG-2TSに含まれる２以上のチャンネルを２以上のグループに分け、夫々のグループ内で統計多重を行って各グループの最大伝送レートを所定値以下とし、MPEG-2TSに該TSに含まれるグループのサービスIDや最大伝送レートといったグルーピング情報を示す記述子を書き込んで送出し、再送信者側では、受信した各MPEG-2TSに含まれている前記グルーピング情報に基づいて該TSから必要なパケットだけを分離し、分離されたパケットに基づいて再送信用の新たなMPEG-2TSを生成してCATV伝送網へ送出する。
【０００６】
【発明の実施の形態】
（実施形態１）
本発明のCATVによるCS110°衛星放送の再送信方法の一実施例を図１に基づいて説明する。ここに示す再送信方法では、送信者（放送事業者）はMPEG-2TS（Moving Picture Experts Group-2 Transport Stream）を110°CS衛星に中継させて再送信者へ送信し、これを受信した再送信者（CATV事業者）はMPEG-2TSに所定の処理を加えてCATV伝送網へ送出する。以下、順を追って本発明の再送信方法を具体的に説明する。
【０００７】
まず、送信者側で次のようにして１トランスポンダ分のMPEG-2TS（伝送レートが31.644Mbps以上、一般的には39.1275Mbps）に統計多重処理を施して伝送レートを下げる。具体的には、MPEG-2TSに含まれる多数のチャンネルを２以上のグループに分け、夫々のグループ内で必要に応じて統計多重（Statistical Multiplexing）を行って各グループの最大伝送レートを31.644Mbps以下とする。ここで、統計多重とは、各チャンネルへの伝送レート（ビットレート）を動的に変更することである。実際には、映像入力信号から各エンコーダが必要な伝送レートを見積もってマルチプレクサに集約し、マルチプレクサ内の統計多重制御機能が伝送レートの配分を調整し、実際の映像伝送レートを各エンコーダに指示する。例えば、ある時点で静止画に近い映像のチャンネルから動きの速い映像のチャンネルへ伝送レートを融通することによって、全体としての伝送レートを効率的に使うことができる。
【０００８】
次に、送信者側では、MPEG-2TSにグルーピング情報を追加する。具体的には、統計多重処理が行われたMPEG-2TSのNIT（Network Information Table）に、該TS内のグループに含まれているサービスIDやそのグループの最大伝送レートといったグルーピング情報を表わす記述子を書き込んでから110°CS衛星へ送信する。表１及び表２に書き込まれる記述子の一例を示す。表１は、グループIDとそのグループの伝送レートを定義する記述子の一例であり、表２は、表１の記述子によって定義されたグループIDを持つグループに含まれるサービスID（プログラム）を定義する記述子の一例である。
【０００９】
【表１】
2004214750.tif 000003
【００１０】
【表２】
2004214750.tif 000004
【００１１】
次に、110°CS衛星によって中継されたMPEG-2TSを受信した再送信者側のトランスモジュレータは、次のようにして再送信用のTS生成してCATV伝送網へ送出する。即ち、受信したMPEG-2TSに書き込まれているグルーピング情報に基づいて、当該グループに割り当てられているサービスIDのパケットを分離し、新たにPSI／SI（Program Specific Information/Service Information）を付け直して再送信用のTSを生成する。この際、夫々のグループの伝送レートが低い場合は、複数のグループを多重してもよい。その後、生成された再送信用のTSを64QAM変調器で変調してCATV伝送網へ送出する。
【００１２】
【発明の効果】
本発明のCATVによるCS110°衛星放送の再送信方法によれば、送信者側で統計多重のグルーピング変更を行っても、その変更を再送信者側で自動的に察知し、対応することができる。従って、従来のように、グルーピング変更の度に送信者が再送信者へ連絡する手間や時間が省かれ、連絡ミス等に起因する不都合も回避される。
【図面の簡単な説明】
【図１】本発明のCATVによるCS110°衛星放送の再送信方法の一例を示す工程図
【図１】
2004214750.tif 000005